(57)【要約】【課題】複数の記録媒体、外部入力を映像、音声の供給源として、映像および音声毎に選択することが可能な映像音声再生装置および映像音声再生方法を提供する。【解決手段】本発明に係る映像音声再生装置１００は、外部入力部１と、第１、第２の記憶媒体２、３に記憶されたデータの内容、および前記外部入力部から入力されたデータの内容が、静止画像データ、動画像データ、音声データであるかを判別する内容判別部４と、判別されたデータの内容を表示する内容表示部５と、画像データを切り替えて出力する映像切替部６と、音声データを切り替えて出力する音声切替部７と、選択信号入力に応じて、映像切替部６および音声切替部７の出力の切替を制御する切替入力部８と、映像切替部６の出力に基づいて画像を出力する映像出力部１１と、音声切替部７の出力に基づいて音声を出力する音声出力部１２と、を備える。【選択図】図１
2007280447.tif 000002
【特許請求の範囲】
【請求項１】
第１の記録媒体に記録されたデータの内容および第２の記憶媒体に記憶されたデータの内容が、静止画像データ、動画像データ、音声データであるかを判別する内容判別部と、
前記内容判別部で判別されたデータの内容を表示する内容表示部と、
前記第１、第２の記録媒体に記憶された静止画像データ、動画像データを切り替えて出力する映像切替部と、
前記第１または第２の記録媒体に記憶された音声データを切り替えて出力する音声切替部と、
再生すべき前記データを選択する選択信号入力に応じて、前記映像切替部および前記音声切替部の出力の切替を制御する切替入力部と、
前記映像切替部の出力に基づいて静止画像または動画像を出力する映像出力部と、
前記音声切替部の出力に基づいて音声を出力する音声出力部と、を備える
ことを特徴とする映像音声再生装置。
【請求項２】
静止画像データ、動画像データ、および音声データの少なくとも何れか１つが入力される外部入力部をさらに備え、
前記内容判別部は、さらに前記外部入力部から入力されたデータの内容が、静止画像データ、動画像データ、音声データであるかを判別し、
前記映像切替部は、前記第１、第２の記録媒体に記憶された静止画像データ、動画像データ、前記外部入力部から入力された静止画像データ、動画像データを切り替えて出力し、
前記音声切替部は、前記第１または第２の記録媒体に記憶された音声データ、前記外部入力部から入力された音声データを切り替えて出力する
ことを特徴とする請求項１に記載の映像音声再生装置。
【請求項３】
前記内容判別部は、前記第１、第２の記録媒体の何れか１つに記憶された前記動画像データと前記音声データとが同期しているかを判別し、同期したものである場合に、前記切替入力部に選択限定信号を出力し、
前記選択限定信号を受けた前記切替入力部は、この動画像データを選択する前記選択信号入力に応じて、前記映像切替部にこの動画像データを出力させるとともに、この動画像データに同期した音声データを出力するように前記音声切替部に出力切替させるように制御する
ことを特徴とする請求項１に記載の映像音声再生装置。
【請求項４】
前記内容判別部は、前記第１、第２の記録媒体の何れか１つに記憶され、または外部入力部から入力された前記動画像データと前記音声データとが同期しているかを判別し、同期したものである場合に、前記切替入力部に選択限定信号を出力し、
前記選択限定信号を受けた前記切替入力部は、この動画像データを選択する選択信号入力に応じて、前記映像切替部にこの動画像データを出力させるとともに、この動画像データに同期した音声データを出力するように前記音声切替部に出力切替させるように制御する
ことを特徴とする請求項２に記載の映像音声再生装置。
【請求項５】
複数の記録媒体に記録された静止画像データ、動画像データ、音声データ、外部入力された静止画像データ、動画像データ、音声データを切り替えて再生する映像音声生成方法であって、
前記記録媒体に記憶され、外部入力されたデータの内容を検索し、
前記データの内容が静止画像データ、動画像データ、音声データの何れかであるかを判別し、
判別された前記データの内容を表示し、
選択信号入力に応じて、静止画像データ、動画像データ、音声データ供給源として、 複数の前記記録媒体および前記外部入力の中から１つまたは２つを選択し、
複数の前記記録媒体および前記外部入力の中から１つを選択した場合には、静止画像データ、または動画像データと音声データとが同期するか否かを判別し、
同期するときは、静止画像データ、または動画像データと音声データとを再生し、
複数の前記記録媒体および前記外部入力の中から２つを選択した場合には、選択した一方の静止画像データ、または動画像データを再生するとともに選択した他方の音声データを再生する
ことを特徴とする映像音声再生方法。
【発明の詳細な説明】
【技術分野】
【０００１】
本発明は、複数の記録媒体、外部入力の映像、音声を切り替えて再生する映像音声再生装置、および映像音声再生方法に関する。
【背景技術】
【０００２】
従来、例えば、カーナビゲーションシステム、カーオーディオ等の映像音声再生装置には、外部入力または記録媒体が複数接続され、外部入力または記録媒体を１つ選択してから再生するものがある。
【０００３】
この従来の映像音声再生装置は、複数の記録媒体または外部入力の中から、ユーザにより映像、音声の供給源を１つ選択し、この選択された供給源から供給された画像データ、音声データについて復号化等の処理がなされ、映像、音声を出力する（例えば、特許文献１参照。）
【０００４】
しかし、上記従来の映像音声再生装置では、既述のように、映像、音声の供給源として１つの供給源が選択されるため、他の供給源との同時再生はできない。特に、片方の供給源が音声のみで、もう片方の供給源が静止画の場合は、静止画をスライドショーしながら音声を再生するといった機能が実現できないという問題があった。
【０００５】
また、上記従来の映像音声再生装置では、記録媒体に何が入っているかを判別するためには記録媒体を選択して再生する際に判別しているため、各記録媒体のコンテンツが映像音声か音声のみかあるいは静止画のみなのかを一度に判別することができないという不具合が生じ得る。
【特許文献１】特開２００２−１７５６６５号公報
【発明の開示】
【発明が解決しようとする課題】
【０００６】
本発明は、上記課題を解決するものであり、ユーザが複数の記録媒体、外部入力のデータの内容を容易に判別し、複数の記録媒体、外部入力を映像、音声の供給源として、映像および音声毎に選択することが可能な映像音声再生装置および映像音声再生方法を提供することを目的とする。
【課題を解決するための手段】
【０００７】
本発明に係る映像音声再生装置は、第１の記録媒体に記録されたデータの内容および第２の記憶媒体に記憶されたデータの内容が、静止画像データ、動画像データ、音声データであるかを判別する内容判別部と、前記内容判別部で判別されたデータの内容を表示する内容表示部と、前記第１、第２の記録媒体に記憶された静止画像データ、動画像データを切り替えて出力する映像切替部と、前記第１または第２の記録媒体に記憶された音声データを切り替えて出力する音声切替部と、再生すべき前記データを選択する選択信号入力に応じて、前記映像切替部および前記音声切替部の出力の切替を制御する切替入力部と、前記映像切替部の出力に基づいて静止画像または動画像を出力する映像出力部と、前記音声切替部の出力に基づいて音声を出力する音声出力部と、を備えることを特徴とする。
【０００８】
また、本発明に係る映像音声生成方法は、複数の記録媒体に記録された静止画像データ、動画像データ、音声データ、外部入力された静止画像データ、動画像データ、音声データを切り替えて再生する映像音声生成方法であって、前記記録媒体に記憶され、外部入力されたデータの内容を検索し、前記データの内容が静止画像データ、動画像データ、音声データの何れかであるかを判別し、判別された前記データの内容を表示し、選択信号入力に応じて、静止画像データ、動画像データ、音声データ供給源として、 複数の前記記録媒体および前記外部入力の中から１つまたは２つを選択し、複数の前記記録媒体および前記外部入力の中から１つを選択した場合には、静止画像データ、または動画像データと音声データとが同期するか否かを判別し、同期するときは、静止画像データ、または動画像データと音声データとを再生し、複数の前記記録媒体および前記外部入力の中から２つを選択した場合には、選択した一方の静止画像データ、または動画像データを再生するとともに選択した他方の音声データを再生することを特徴とする。
【発明の効果】
【０００９】
本発明の一態様に係る映像音声再生装置および映像音声再生方法によれば、ユーザが複数の記録媒体、外部入力のデータの内容を容易に判別し、複数の記録媒体、外部入力を映像、音声の供給源として、映像および音声毎に選択することができる。
【発明を実施するための最良の形態】
【００１０】
以下、本発明に係る実施例について図面を参照しながら説明する。
【実施例１】
【００１１】
図１は、本発明の実施例１に係る映像音声再生装置の要部構成を示すブロック図である。
【００１２】
図１に示すように、映像音声再生装置１００は、静止画像データ、動画像データ、および音声データの少なくとも何れか１つが入力される外部入力部１と、第１の記録媒体２に記録されたデータの内容、第２の記憶媒体３に記憶されたデータの内容、および前記外部入力部から入力されたデータの内容が、静止画像データ、動画像データ、音声データであるかを判別する内容判別部４と、この内容判別部４で判別されたデータの内容を表示する内容表示部５と、を備える。
【００１３】
さらに映像音声再生装置１００は、第１の記録媒体２に記憶された静止画像データ、動画像データ、第２の記録媒体３に記憶された静止画像データ、動画像データ、外部入力部１から入力された静止画像データ、動画像データを切り替えて出力する映像切替部６と、第１の記録媒体２に記憶された音声データ、第２の記録媒体３に記憶された音声データ、外部入力部１から入力された音声データを切り替えて出力する音声切替部７と、内容表示部５の内容を見たユーザによる、再生すべきデータを選択する選択信号入力に応じて、映像切替部６および音声切替部７の出力の切替を制御する切替入力部８と、を備える。
【００１４】
さらに映像音声再生装置１００は、映像切替部６から出力された静止画像データ、動画像データを復号化し信号を出力する映像処理部９と、音声切替部７から出力された音声データを復号化し信号を出力する音声処理部１０と、映像処理部９の出力信号に応じて静止画像または動画像を出力する映像出力部１１と、音声処理部１０の出力信号に応じて音声を出力する音声出力部１２と、を備える。
【００１５】
外部入力部１は、例えば、所望の静止画像データ、動画像データ、音声データが外部入力として入力される端子、インターネット接続された端子、または、ＵＳＢメモリ等が接続されるＵＳＢ端子であり得る。
【００１６】
なお、外部入力部１に入力されるデータは、外部装置（図示せず）やＵＳＢメモリ等に含まれた第１、第２の記録媒体２、３に保持されたものでもよい。
【００１７】
第１、第２の記録媒体２、３は、例えば、映像音声再生装置１００に格納されたＨＤＤ、または、映像音声再生装置１００のスロットに収納されたＣＤ−ＤＡ、ＣＤ−ＲＯＭ、ＤＶＤ、ＶＣＤ、ＳＲＡＭ等のメモリ等であり得る。
【００１８】
また、既述のように、第１、第２の記録媒体２、３は、外部装置（図示せず）やＵＳＢメモリ等に含まれていてもよい。
【００１９】
第１、第２の記録媒体２、３がＣＤ−ＲＯＭ等の光ディスクの場合は、光ピックアップで読み取られた後、増幅され、この増幅信号が２値化されてデータの復調およびエラー訂正が行われる。このデータは画像データと音声データとが区別されて記録されている。第１、第２の記録媒体２、３がDVDやVCD等の場合はMPEGのプログラムストリームで記録されており、画像パケットと音声パケットに別れ、インターリーブされている。各パケットは画像と音声の識別フラグがあるので、これで音声データは音声処理部１０へ、画像データは映像処理部９へ送られる。
【００２０】
なお、第１、第２の記録媒体２、３がＨＤＤの場合は、ディスクであるので光ディスクと同様であるが、磁気ヘッドと変調方式が変わる。また、第１、第２の記録媒体２、３がＳＲＡＭ等のメモリの場合は、復調処理までが無く、後の処理は同様である。
【００２１】
内容判別部４は、例えば、第１、第２の記録媒体２、３に記憶されたデータについては、ファイル構成や管理情報から内容が判別する。すなわち、静止画像データ、音声データ、動画像/音声データの拡張子や、ファイルのヘッダ情報および管理情報により、記憶されたデータの内容が動画のみ/音声のみ/動画と音声/静止画かが判別される。
【００２２】
一方、外部入力部１は、映像音声再生装置１００の仕様により予め音声、静止画、動画の何れが入力されるかが規定されている場合が想定される。この場合は、内容判別部４はこの規定に基づいて判別する。しかし、外部入力部１がＵＳＢ端子などの場合は、例えば、ファイル構成や管理情報から内容が判別される。外部入力部１に入力される外部入力がＴＶ放送の場合、映像搬送波と音声搬送波の周波数帯域が離れているので、夫々別に復調されて映像と音声信号が得られる。また、衛星放送でも同様であり、映像の周波数帯域外に音声の搬送波を用いているため映像と音声を別々に復調している。したがって、外部入力が放送の場合も、画像データと音声データとを判別することは可能である。
【００２３】
また、内容判別部４は、第１、第２の記録媒体２、３の何れか１つに記憶され、または外部入力部１から入力された、動画像データと音声データとが同期しているかを判別し、同期したものである場合に、切替入力部８に選択限定信号を出力する。この選択限定信号を受けた切替入力部８は、内容表示部５の内容を見たユーザによる、この動画像データを選択する選択信号入力に応じて、映像切替部６にこの動画像データを出力させるとともに、この動画像データに同期した音声データを出力するように音声切替部７に出力切替させるように制御する。なお、動画像データと音声データとが同期しているか否かは、例えば、動画像データと音声データとが１つの記録媒体の同じファイルにあるか否かで判別できる。すなわち、ファイルが同じ場合は同期し、ファイルが異なる場合は同期しないと判別される。
【００２４】
内容表示部５は、例えば、タッチパネルで構成される。このタッチパネルに表示された内容（例えば、データの一覧表示等）を見たユーザが、タッチパネルを操作する。これにより、所望のデータを出力するための選択信号が切替入力部８に入力される。
【００２５】
映像処理部９は、動画像データ（例えば、ビデオ符号化データ）を復号化して再生用のビデオ信号を生成して出力する。また、映像処理部９は、静止画像データについても同様に符号化データである場合には復号化して信号を出力する。
【００２６】
音声処理部１０は、音声データ（例えば、音声符号化データ）を復号しＤ/Ａ変換器でアナログ信号に変換してアンプ(増幅)を介して再生用のオーディオ信号として出力する。
【００２７】
以上のような構成により、ユーザが内容表示部５で外部入力または記録媒体の内容が一度に判別でき、映像切替部６と音声切替部７を各々設けているので外部入力または記録媒体を越えて映像および音声毎に選択することができる。
【００２８】
次に、以上のような構成・機能を有する映像音声再生装置１００の動作、すなわち複数の記録媒体に記録された静止画像データ、動画像データ、音声データ、外部入力された静止画像データ、動画像データ、音声データを切り替えて再生する映像音声再生方法について、フローチャートに沿って以下説明する。
【００２９】
図２は、本発明の実施例１に係る映像音声再生方法を示すフローチャートである。
【００３０】
図２に示すように、先ず、内容判別部４が第１、第２の記録媒体２、３に記憶され、外部入力部１から外部入力されたデータの内容を検索する（ステップＳ１）。
【００３１】
次に、内容判別部４がデータの内容が静止画像データ、動画像データ、音声データの何れかであるかを判別する（ステップＳ２）。
【００３２】
次に、内容表示部５が判別されたデータの内容を表示する（ステップＳ３）。
【００３３】
次に、内容表示部５の内容を見たユーザによる選択信号の入力に応じて、静止画像データ、動画像データ、音声データ供給源として、 第１、第２の記録媒体２、３および外部入力の中から１つまたは２つを選択する（ステップＳ４）。
【００３４】
ステップＳ４で、静止画像データ、動画像データ、音声データ供給源として、第１、第２の記録媒体２、３よび外部入力の中から１つを選択した場合には、静止画像データ、または動画像データと音声データとが同期するか否かを判別する（ステップＳ５）。
【００３５】
そして、同期するときは、ユーザによる選択信号の入力に応じて、静止画像データまたは動画像データと音声データとを通常再生する（ステップＳ６）。
【００３６】
また、同期しないときは、ユーザによる選択信号の入力に応じて、切替入力部８により静止画像データまたは動画像データと音声データとを同時に再生するか否かが判断される（ステップＳ７）。
【００３７】
そして、ユーザによる選択信号の入力に応じて、切替入力部８により同時に再生すると判断された場合には、切替入力部８が制御信号を出力して映像切替部６、音声切替部７を制御し、映像出力部１１、音声出力部１２からそれぞれ同時に映像と音声とが出力される（ステップＳ８）。
【００３８】
ユーザによる選択信号の入力に応じて、切替入力部８により別々に再生すると判断された場合には、ステップＳ６で映像と音声とが通常再生される。
【００３９】
一方、ステップＳ４で、静止画像データ、動画像データ、音声データ供給源として、第１、第２の記録媒体２、３および外部入力の中から２つを選択した場合には、ユーザによる選択信号の入力に応じて、選択した一方を静止画像データまたは動画像データの供給源とし、選択した他方を音声データの供給源とする（ステップＳ９）。
【００４０】
次に、選択した一方の静止画像データ、または動画像データを再生するとともに選択した他方の音声データを再生する（ステップＳ１０）。
【００４１】
以上のフローにより、映像音声再生装置１００による映像と音声を切り替えて再生するための動作が完了する。
【００４２】
なお、ステップＳ４で１つ選択されたデータ供給源に静止画像データ、動画像データ、音声データの何れか１つしか含まれていない場合には、ステップＳ５、ステップＳ７、ステップＳ６を経由して、その１つのデータが再生される。
【００４３】
このような制御フローにすることにより、全ての接続されているデータ供給源の内容が一覧表示でき、全ての供給源から映像と音声を別々に選択してその選択された音声と映像を同時に再生することができる。
【００４４】
また、１つのデータ供給源を選択する場合でも、データ供給源内で映像と音声が別なものはその音声と映像を同時に再生することもできる。
【００４５】
以上のように、本実施例に係る映像音声再生装置によれば、ユーザが複数の記録媒体、外部入力のデータの内容を容易に判別し、複数の記録媒体、外部入力を映像、音声の供給源として、映像および音声毎に選択することができる。
【００４６】
すなわち、例えば、映像音声再生装置によれば、例えば、第１の記録媒体の内容が静止画データで第２の記録媒体が音声データの場合は、第１の記録媒体の静止画をスライドショーしながら第２の記録媒体の音声を再生することができる。
【００４７】
なお、本実施例においては、映像音声再生装置が第１、第２の記録媒体、外部入力部を有する構成について説明したが、外部入力部を省略してもよく、同様の作用効果を奏することができる。
【実施例２】
【００４８】
実施例１では、例えば、映像データと音声データを別々に切り替えて出力する構成について述べたが、本実施例では、データ供給源毎に切り替えるデータ供給源切替部をさらに備えた構成について述べる。
【００４９】
図３は、本発明の一態様である実施例２に係る映像音声再生装置２００の要部の構成を示すブロック図である。なお、図中、実施例１と同じ符号は、実施例１と同様の構成を示している。
【００５０】
図３に示すように、映像音声再生装置２００は、データ供給源である第１、第２の記録媒体２、３、外部入力部５のデータが入力され、これらのデータを切替入力部８の制御信号により切り替えて出力するデータ供給源切替部１３と、このデータ供給源切替部１３の出力、映像切替部６の出力、音声切替部７の出力を切替入力部の制御信号に切り替えて出力する映像処理部９、音声処理部１０に出力する切替部１４と、をさらに備える。
【００５１】
データ供給源を切替える場合は、切替部１４によりデータ供給源切替部１３からの画像データ（静止画像データ、動画像データ）、音声データを出力し、画像データ/音声データを切替える場合は、切替部１４により映像切替部６からの画像データおよび音声切替部７からの音声データを出力する。
【００５２】
これにより、ユーザは、内容表示部５の内容からデータ供給源、または画像データ、音声データを各々選択することができる。
【００５３】
切替部１４で選択された画像データは映像処理部６を介して映像出力部１１から映像が出力される。一方、切替部１４で選択された音声データは、音声処理部１０を介して音声出力部１２から音声が出力される。
【００５４】
このような構成により、ユーザは、内容表示部５で外部入力または記録媒体の内容が一度に判別でき、映像切替部６と音声切替部７およびデータ供給源切替部１４を設けているので外部入力または記録媒体を越えて映像および音声毎に選択でき、さらにデータ供給源毎でも選択することができる。
【００５５】
以上のように、本実施例に係る映像音声再生装置によれば、ユーザが複数の記録媒体、外部入力のデータの内容を容易に判別し、複数の記録媒体、外部入力を映像、音声の供給源として、映像および音声毎に選択でき、さらにデータ供給源毎でも選択することができる。
【００５６】
なお、本実施例では記録媒体を２つ、外部入力を１つとした場合について説明したが、記録媒体が１つ、外部入力を１つとしてもよい。
【実施例３】
【００５７】
実施例１、２では、例えば、映像音声再生装置の全体的な構成について述べたが、本実施例では、特に、内容表示部の表示例について述べる。
【００５８】
図４は、本発明の一態様である映像音声再生装置の内容表示部のデータ供給源の表示例を示す図である。
【００５９】
図４において、データ供給源が、記録媒体Ｘ（第１の記録媒体）、記録媒体Ｙ（第２記録媒体）、および外部入力の場合を示している。記録媒体Ｘの内容はVideo & AudioでいわゆるAVで同時に再生するもの、記録媒体Ｙの内容はJPEG（Joint Photographic Experts Group）で静止画、外部入力はAudioで音声である。
【００６０】
また、図５ないし図８は、本発明の一態様である映像音声再生装置の内容表示部の一覧表示および選択入力の表示例を示す図である。なお、映像音声再生装置に接続されているデータ供給源は、図４のデータ供給源と同じである。
【００６１】
図５において、縦軸の記録媒体Ｘ、記録媒体Ｙ、外部入力がデータ供給源を示している。また、横軸のAV、JPEG、Aは、データの内容を示し、AVはAudio & Videoで同時に再生すべきもの、JPEGは静止画、Aは音声である。そして縦軸と横軸が交わる箇所に○印が付いているところが、各データの内容を示すことになる。図５の一覧表示から、記録媒体ＸはAV、記録媒体ＹはJPEG、外部入力はAということが一目で理解できる。
【００６２】
この表示は、例えば、タッチパネルで構成され、ユーザによる選択信号の入力も可能でり、選択されている箇所が塗り潰されている。図５では、記録媒体ＹのＪＰＥＧと外部入力のＡが選択されて静止画を再生しながら音声も再生される。
【００６３】
また、図６では、記録媒体ＸのＡＶが選択されて映像およびそれに同期した音声が再生される。
【００６４】
また、図７では、外部入力のＡが選択されて音声のみが再生される。
【００６５】
また、図８では、データ供給源として、記録媒体Ｘが選択され、記録媒体Ｘに記録された映像およびそれに同期した音声が再生される。
【００６６】
以上のような内容表示と入力方法にすることにより、接続されている全てのデータ供給源の内容が一覧表示できるとともに、この表示状態で選択することもでき、選択されていることをも表示できる。
【００６７】
以上のように、本実施例に係る映像音声再生装置によれば、ユーザが複数の記録媒体、外部入力のデータの内容を容易に判別し、複数の記録媒体、外部入力を映像、音声の供給源として、映像および音声毎に選択することができる。
【実施例４】
【００６８】
実施例３では、内容表示部の表示例について述べたが、本実施例では、他の内容表示部の表示例について述べる。
【００６９】
図９は、本発明の一態様である映像音声再生装置の内容表示部のデータ供給源の表示例を示す図である。
【００７０】
図９において、データ供給源が、記録媒体Ｘ（第１の記録媒体）、記録媒体Ｙ（第２記録媒体）、および外部入力の場合を示している。記録媒体Ｘの内容はVideo & AudioでいわゆるAVで同時に再生するもの、記録媒体Ｙの内容はJPEG/Audioで静止画と音声が別ファイルのもの、外部入力はAudioで音声である。
【００７１】
また、図１０および図１１は、本発明の一態様である映像音声再生装置の内容表示部の一覧表示および選択入力の表示例を示す図である。なお、映像音声再生装置に接続されているデータ供給源は、図９のデータ供給源と同じである。
【００７２】
図１０において、縦軸の記録媒体Ｘ、記録媒体Ｙ、外部入力がデータ供給源を示しておいる。また、横軸のAV、A/V、JPEG、Aは、データの内容を示し、AVはAudio & Videoで同時に再生すべきもの、A/Vは映像と音声が別々になっているもの、JPEGは静止画、Aは音声である。そして、縦軸と横軸が交わる箇所に○印が付いているところが、各データの内容を示すことになる。
【００７３】
図１０の一覧表示から、記録媒体ＸはAV、記録媒体ＹはA/V、外部入力はAということが一目で理解できる。
【００７４】
この表示は、実施例３と同様に、例えば、タッチパネルで構成され、ユーザによる選択信号の入力も可能でり、選択されている箇所が塗り潰されている。
【００７５】
図１０および図１１では両方とも記録媒体ＹのA/Vが選択されている。ここで、図１０では映像と音声を通常再生、すなわちこの場合では別々に再生していることを示す。一方、図１１では○印が塗り潰されて●印になっていて、この表示の場合では別々になっている映像と音声を同時に再生していることを示す。同時に再生させる○印から●印へ、通常再生させる●印から○印へは、例えば、タッチパネルへの再クリックにより切り替わるようにすればよい。
【００７６】
このような内容表示と入力方法および選択表示方法にすることにより、同一データ供給源内の映像と音声が同時に再生するものかまたは別々に再生するのかが判別できる。さらに、別々に再生する映像と音声を別々に再生するかまたは同時に再生するかを簡単に選択でき、選択された表示もできる。
【００７７】
以上のように、本実施例に係る映像音声再生装置によれば、ユーザが複数の記録媒体、外部入力のデータの内容を容易に判別し、複数の記録媒体、外部入力を映像、音声の供給源として、映像および音声毎に選択するとともに、同時再生、通常再生を選択することができる。
【００７８】
なお、上記実施例３、４において「A/V」という表示を用いたが「A/J」でもよい。この場合の「J」はJPEGを示す。
【図面の簡単な説明】
【００７９】
【図１】本発明の一態様である実施例１に係る映像音声再生装置の要部の構成を示すブロック図である。
【図２】本発明の一態様である実施例１に係る映像音声再生方法を示すフローチャートである。
【図３】本発明の一態様である実施例２に係る映像音声再生装置の要部の構成を示すブロック図である。
【図４】本発明の一態様である映像音声再生装置の内容表示部のデータ供給源の表示例を示す図である。
【図５】本発明の一態様である映像音声再生装置の内容表示部の一覧表示および選択入力の表示例を示す図である。
【図６】本発明の一態様である映像音声再生装置の内容表示部の一覧表示および選択入力の表示例を示す図である。
【図７】本発明の一態様である映像音声再生装置の内容表示部の一覧表示および選択入力の表示例を示す図である。
【図８】本発明の一態様である映像音声再生装置の内容表示部の一覧表示および選択入力の表示例を示す図である。
【図９】本発明の一態様である映像音声再生装置の内容表示部のデータ供給源の表示例を示す図である。
【図１０】本発明の一態様である映像音声再生装置の内容表示部の一覧表示および選択入力の表示例を示す図である。
【図１１】本発明の一態様である映像音声再生装置の内容表示部の一覧表示および選択入力の表示例を示す図である。
【符号の説明】
【００８０】
１  外部入力部
２  第１の記録媒体
３  第２の記録媒体
４  内容判別部
５  内容表示部
６  映像切替部
７  音声切替部
８  切替入力部
９  映像処理部
１０  音声処理部
１１  映像出力部
１２  音声出力部
１３  データ供給源切替部
１４  切替部
１００、２００  映像音声再生装置
【図１】
2007280447.tif 000003
【図２】
2007280447.tif 000004
【図３】
2007280447.tif 000005
【図４】
2007280447.tif 000006
【図５】
2007280447.tif 000007
【図６】
2007280447.tif 000008
【図７】
2007280447.tif 000009
【図８】
2007280447.tif 000010
【図９】
2007280447.tif 000011
【図１０】
2007280447.tif 000012
【図１１】
2007280447.tif 000013